(57)【要約】  【課題】抽斗５から不用意に外れてしまうことのない仕切板６を提供する。  【解決手段】抽斗５の側壁５２に形成された係合孔５２１に挿入される側部係合爪６２を具備する仕切板６において、側部係合爪６２に、前記係合孔５２１から内側方への抜出を抑止する第一の抜け止め要素６３と、上方への抜出を抑止する第二の抜け止め要素６２２とを形成した。  【選択図】図５
2006061200.tif 000002
【特許請求の範囲】
【請求項１】
底壁及び底壁より立ち上がる側壁によって包囲される収納空間を仕切る仕切板であって、
前記側壁に予め形成された係合孔に挿入される側部係合爪を具備し、
前記側部係合爪に、対応する前記係合孔から収納空間側への抜出を抑止する抜け止め要素を形成してなる収納家具用仕切板。
【請求項２】
前記底壁に予め形成された係合孔に挿入される底部係合爪を具備する請求項１記載の収納家具用仕切板。
【請求項３】
前記底部係合爪に、対応する前記係合孔から収納空間側への抜出を抑止する抜け止め要素を形成している請求項２記載の収納家具用仕切板。
【請求項４】
前記底部係合爪の先端部位を屈曲または湾曲させて、これを底部係合爪における抜け止め要素としている請求項３記載の収納家具用仕切板。
【請求項５】
前記側壁が収納空間を閉止する立面部とこの立面部の端縁近傍で屈曲して外側方に延出する段部とを具備しており、前記係合孔がこれら立面部と段部とにまたがるように形成されて収納空間側及び収納空間が開放される反底壁側に連続的に開口するものであって、
前記側部係合爪に、対応する前記係合孔から収納空間側への抜出を抑止する第一の抜け止め要素と、反底壁側への抜出を抑止する第二の抜け止め要素とを形成している請求項１、２、３または４記載の収納家具用仕切板。
【請求項６】
前記側部係合爪に、前記底壁側に向けて突出する鉤部を形成し、これを側部係合爪における第一の抜け止め要素としている請求項５記載の収納家具用仕切板。
【請求項７】
前記側部係合爪に、外力が加えられていない状態で外側方に突出する弾性変形部を設け、これを側部係合爪における第二の抜け止め要素としている請求項５または６記載の収納家具用仕切板。
【請求項８】
前記側部係合爪に、外力が加えられていない状態で厚み方向に突出する弾性変形部を設け、これを側部係合爪における第二の抜け止め要素としている請求項５または６記載の収納家具用仕切板。
【請求項９】
前記弾性変形部は、前記側部係合爪の側縁近傍の所定領域に中空部を設けることでその外側方に生ずる変位自在の部位を利用して構成されている請求項７または８記載の収納家具用仕切板。
【請求項１０】
樹脂成形品である請求項１、２、３、４、５、６、７、８または９記載の収納家具用仕切板。
【請求項１１】
請求項１、２、３、４、５、６、７、８、９または１０記載の収納家具用仕切板を、前記底壁及び前記側壁によって包囲される収納空間を有する収納家具本体に付帯させた収納家具。
【発明の詳細な説明】
【技術分野】
【０００１】
本発明は、抽斗等が有する収納空間を仕切るために用いられる仕切板に関する。
【背景技術】
【０００２】
一般的に、袖机、ワゴン、キャビネット等が備えている抽斗には、仕切板を装着可能である。通常、収納空間を包囲する抽斗の底壁、側壁の各々にスリット状の係合孔が穿たれる一方、仕切板の底辺及び側辺より薄片状の係合爪が突出しており、それら係合爪を対応する係合爪に挿入するようにして仕切板を抽斗の収納空間内に差し入れ装着するものとなっている（例えば、下記特許文献を参照）。
【特許文献１】特開２０００−２８０６７８号公報
【発明の開示】
【発明が解決しようとする課題】
【０００３】
従来このような仕切板は金属製であることが専らであったが、近時では、製造コストの低減等の観点から仕切板を樹脂成形品にしようという提案もなされている。しかしながら、材料如何によっては厚み方向に撓み易いものとなるため、抽斗内に多量の物品または重量のある物品が詰め込まれて大きな圧力を受けたときに、係合爪が係合孔より抜け出て仕切板が外れてしまうという不具合を生じかねない。
【０００４】
以上に鑑みてなされた本発明は、不用意に外れてしまうことのない収納家具用仕切板を提供しようとするものである。
【課題を解決するための手段】
【０００５】
上述した課題を解決するべく、本発明では、底壁及び底壁より立ち上がる側壁によって包囲される収納空間を仕切る仕切板であって、前記側壁に予め形成された係合孔に挿入される側部係合爪を具備し、前記側部係合爪に、対応する前記係合孔から収納空間側への抜出を抑止する抜け止め要素を形成してなる収納家具用仕切板を構成した。
【０００６】
側部係合爪における抜け止め要素は、仕切板の板面に及ぼされる圧力に抗して仕切板を支持する役割を担う。このようなものであれば、収納空間内に装着した仕切板が不用意に外れてしまう不具合を解消できる。
【０００７】
加えて、前記底壁に予め形成された係合孔に挿入される底部係合爪をも具備するものとすれば、圧力を受けた仕切板の底辺が厚み方向に変位してしまうことを抑制できる。そして、側部係合爪の抜け止め要素の働きと相まって、仕切板がより撓みにくく外れにくいものとなる。
【０００８】
さらに、前記底部係合爪に、対応する前記係合孔から収納空間側への抜出を抑止する抜け止め要素を形成するならば、仕切板の側辺及び底辺がそれぞれ側壁、底壁に対して保定されることとなり、仕切板面への圧力に充分に耐え得るものとなる。例えば、前記底部係合爪の先端部位を屈曲または湾曲させて、これを底部係合爪における抜け止め要素とする。屈曲または湾曲した底部係合爪の先端部位は、底壁の反収納空間側の面において係合孔の開口縁と係合し、底部係合爪を底壁の係合孔に係留する。
【０００９】
また、前記側壁が収納空間を閉止する立面部とこの立面部の端縁近傍で屈曲して外側方に延出する段部とを具備しており、前記係合孔がこれら立面部と段部とにまたがるように形成されて収納空間側及び収納空間が開放される反底壁側に連続的に開口するものである場合、前記側部係合爪に、対応する前記係合孔から収納空間側への抜出を抑止する第一の抜け止め要素と、反底壁側への抜出を抑止する第二の抜け止め要素とを形成することが好ましい。側部係合爪の第一の抜け止め要素、及び／または、底部係合爪の抜け止め要素により、仕切板を抽斗に装着したまま袖机、ワゴン、キャビネット等を運搬することも容易になる。複数台の袖机等を運搬する際には、ある袖机等の天板上に別の袖机等を上下逆さにした状態で載置することがあるが、従来の仕切板では上下逆さにした場合に当然に抽斗より脱落してしまう。従って、複数台の袖机等を運搬するときには、何らかの手段を用いて仕切板を固定しておく必要があった。翻って、本発明に係る仕切板では、上下逆さにしたとしても不用意に抽斗より脱落することはなく、よって袖机等の可搬性の向上がもたらされることとなる。
【００１０】
より具体的には、前記側部係合爪に、前記底壁側に向けて突出する鉤部を形成し、これを側部係合爪における第一の抜け止め要素とする。鉤部は、側壁の立面部の反収納空間側の面において係合孔の開口縁と係合し、側部係合爪を側壁の係合孔に係留することとなる。
【００１１】
なおかつ、前記側部係合爪に、外力が加えられていない状態で外側方に突出または膨出する弾性変形部を設け、これを側部係合爪における第二の抜け止め要素とする。弾性変形部は、側壁の段部の底壁側の面において係合孔の開口縁と係合し、側部係合爪を側壁の係合孔に係留することとなる。
【００１２】
あるいは、前記側部係合爪に、外力が加えられていない状態で厚み方向に突出または膨出する弾性変形部を設け、これを側部係合爪における第二の抜け止め要素とすることもできる。この場合の弾性変形部は、側壁の立面部の反収納空間側の面において係合孔の開口縁と係合し、側部係合爪を側壁の係合孔に係留する。同時に、この弾性変形部に、第一の抜け止め要素としての役割をも担わせることが可能である。つまり、弾性変形部を、側壁の段部の底壁側の面における係合孔の開口縁と係合するものとすれば、側部係合爪が収納空間側に抜け出ることを抑止できるのみならず、側部係合爪が反底壁側に抜け出ることをも抑止できる。
【００１３】
前記側部係合爪の側縁近傍の所定領域に中空部を設けることでその外側方に生ずる変位自在の部位を利用して前記弾性変形部を構成すれば、その両端が仕切板に連続しているものとなり、耐久性が担保される。
【００１４】
側部係合爪、底部係合爪の各々に形成した抜け止め要素により、仕切板が厚み方向に撓んで側部係合爪または底部係合爪が不用意に係合孔より抜け出てしまうことが回避される。従って、仕切板に特段の剛性を持たせる必要がなくなり、弾性変形可能な材料を用いた板状体としてこれを製作することが可能となる。仕切板を金属製とする場合であっても、リブその他の立体構造を形成して強固な剛性を確保することが不要となる。
【００１５】
当該収納家具用仕切板を簡易に製作するには、樹脂成形品とするのがよい。樹脂成形品であれば、抜け止め要素を含む側部係合爪、底部係合爪を形成することが容易である。そして、既存の金属製の仕切板と比較して製造コストを低減することが可能となる。
【００１６】
しかして、本発明に係る収納家具用仕切板を、前記底壁及び前記側壁によって包囲される収納空間を有する収納家具本体に付帯させておくことで、利便性の高い収納家具を需要者に提供し得る。ここに言う収納家具本体とは、例えば抽斗であり、収納家具とは、この抽斗を包含する袖机、ワゴン、キャビネット等である。但し、収納家具本体は抽斗には限られず、収納家具は袖机等には限られない。
【発明の効果】
【００１７】
本発明によれば、収納空間内に装着した場合に不用意に外れてしまうことのない仕切板を実現できる。
【発明を実施するための最良の形態】
【００１８】
以下、本発明の一実施形態を、図面を参照して説明する。図１に示すものは、オフィス等で使用される収納家具たる袖机１である。袖机１は、天板２と、側方にあって天板２を支持する袖構造体３と、後端（反使用端）に取り付けられて天板２下の下肢空間を隠蔽する幕板（図示せず）とを具備する。
【００１９】
袖構造体３は、筐体４と、複数段の収納家具本体たる抽斗５とを主要な要素とする。筐体４は、袖机１に一体的に設けられており、抽斗５を収容し得る内部空間領域を内包する。筐体４の前面は開口しており、内部空間領域はその開口を介して外部に連通するが、側方、後方及び上方からは遮蔽される。抽斗５は、図２に示すように、既存のものと同様、底壁５１と、底壁５１の左右両側より立ち上がる側壁５２と、後端を閉止する後壁５３と、底壁５１及び側壁５２の前方に取り付けられる鏡板５４とを具備してなり、これら底壁５１、側壁５２、後壁５３及び鏡板５４によって包囲され上方に開放される収納空間を有する。抽斗５を筐体４内に押し入れると、その鏡板５４のみが正面に現れる。抽斗５を筐体４より引き出せば、鏡板５４の後背に形成された収納空間を露出させることができる。
【００２０】
抽斗５の底壁５１、側壁５２にはそれぞれ、係合孔５１１、５２１が形成される。底壁５１に形成される係合孔５１１は、平面視略方形状をなす貫通孔で、幅方向に離間した複数箇所（例えば、２箇所）に穿たれる。側壁５２に形成される係合孔５２１は、内側方及び上方に連続的に開口するスリット状の貫通孔で、底壁５１に形成される係合孔５１１に略等しい奥行位置に穿たれる。より具体的に述べると、底壁５１に略直交する側壁５２の立面部５２２の上端近傍に、略水平に屈曲して外側方に延出する段部５２３が設けられており、この段部５２３及び立面部５２２にまたがるように連続した係合孔５２１が切り欠かれる。
【００２１】
底壁５１の係合孔５１１及び側壁５２の係合孔５２１は、奥行方向に沿って間欠的に形成されている。そして、そのうちのある位置の係合孔５１１、５２１を利用して、収納空間を仕切る仕切板６を装着することが可能となっている。
【００２２】
本実施形態の収納家具用仕切板６は、樹脂一体成形品であって、弾性変形可能な板状体である。この仕切板６は、図３ないし図５に示すように、抽斗５の底壁５１に形成された係合孔５１１に挿入される底部係合爪６１と、抽斗５の側壁５２に形成された係合孔５２１に挿入される側部係合爪６２とを具備する。
【００２３】
底部係合爪６１は、仕切板６の底辺より下方に突出するもので、底壁５１の係合孔５１１に対応する幅方向の複数箇所（２箇所）に設けられる。底部係合爪６１の基端部の幅寸法は、底壁５１の係合孔５１１の開口幅に略一致する。底部係合爪６１の先端部位は、前方または後方に屈曲している。但し、底部係合爪６１の先端部位を屈曲させるのではなく湾曲させるようにしても構わない。
【００２４】
側部係合爪６２は、仕切板６の上端近傍の側辺より外側方に張り出している。仕切板６の左右両側辺間の寸法、即ち側部係合爪６２より下方の部位の幅寸法は抽斗５の左右両側壁５２の立面部５２２の離間距離よりも若干小さいが、側部係合爪６２を含めた仕切板６の幅寸法は両立面部５２２の離間距離よりも大きくなっており、仕切板６の装着時には側部係合爪６２が側壁５２の段部５２３及び立面部５２２の連続する領域に差し込まれることとなる。
【００２５】
側部係合爪６２の側縁は、正面視その中間部分が外側方に膨出した形状をなす。この側縁近傍の領域には、中空部６２１が設けられている。中空部６２１の外側方の開口縁形状は、正面視側部係合爪６２の側縁の形状に略相似する。この中空部６２１より外方に生ずる薄帯状の部位は、幅方向に変位自在の弾性変形部６２２となる。外力が加えられていないとき、弾性変形部６２２は、側部係合爪６２の上下部分の側縁よりも外方に突出している。弾性変形部６２２に内向きの外力が加えられると、弾性変形部６２２がちょうど中空部６２１内に入り込む状態となって側部係合爪６２の上下部分の側縁よりも内方に退避する。また、側部係合爪６２の側縁近傍において、その下端より下方に突出する鉤部６３が設けられている。鉤部６３と仕切板６の側辺との間は、所定距離離間している。
【００２６】
この仕切板６を抽斗５に装着する際には、仕切板６を収納空間内に差し入れて、側部係合爪６２及び底部係合爪６１をそれぞれ対応する係合孔５２１、５１１に上方より挿入する。すると、側部係合爪６２、底部係合爪６１が係合孔５２１、５１１に弾性係合する。詳述すると、側部係合爪６２が抽斗５の側壁５２の係合孔５２１に挿入されるとき、弾性変形部６２２が内側方に弾性変形して段部５２３における係合孔５２１の開口縁を回避する。そして、側部係合爪６２が、側壁５２の段部５２３より下方、立面部５２２より外側方に配置される。図５に示しているように、側部係合爪６２が側壁５２の係合孔５２１に挿入された状態で、弾性変形部６２２は段部５２３の下向面において係合孔５２１の外方端縁と係合する。この弾性変形部６２２により、側部係合爪６２の上方への抜出が抑止される。即ち、弾性変形部６２２が、第二の抜け止め要素として機能する。弾性変形部６２２はその上下両端で仕切板６に連続しており、係合孔５２１への挿脱時に無理に引っ掛かってしまうようなことがない。また、鉤部６３は、立面部５２２における係合孔５２１の下端縁よりも下方に位置づけられる。言い換えるならば、仕切板６の側辺と側部係合爪６２の鉤部６３との間に、側壁５２の立面部５２２の一部が介在する状態となる。この鉤部６３により、側部係合爪６２の内側方への抜出が抑止される。即ち、鉤部６３が、第一の抜け止め要素として機能する。
【００２７】
並びに、底部係合爪６１が抽斗５の底壁５１の係合孔５１１に挿入されるとき、前後方向に屈曲または湾曲している先端部位が弾性変形して係合孔５１１の開口縁を回避する。そして、底部係合爪６１が、底壁５１より下方に配置される。図４に示しているように、底部係合爪６１が底壁５１の係合孔５１１に挿入された状態で、底部係合爪６１の先端部位は、底壁５１の下面において係合孔５１１の前端縁または後端縁と係合する。これにより、底部係合爪６１の上方への抜出が抑止される。即ち、底部係合爪６１の先端部位が、底部係合爪６１における抜け止め要素として機能する。
【００２８】
結果として、仕切板６面に大きな圧力が加わって仕切板６が厚み方向に撓もうとしても、鉤部６３が側部係合爪６２を側壁５２の係合孔５２１に係留するためにこれが内側方に抜け出ることは抑止され、さらには、底部係合爪６１の先端部位が底部係合爪６１を底壁５１の係合孔５１１に係留するためにこれが上方に抜け出ることも抑止される。これらの作用により、仕切板６が不用意に抽斗５より外れてしまうことはない。
【００２９】
ところで、側部係合爪６２の弾性変形部は、上述のもの以外の態様もとり得る。図６ないし図８に示すものは、異なる態様の弾性変形部６２２ｘが設けられた収納家具用仕切板６の例である。当該例の仕切板６において、側部係合爪６２の側縁は正面視略鉛直線状をなし、中空部６２１ｘより外側方にある弾性変形部６２２ｘもまた正面視略鉛直方向に延伸している。一方で、弾性変形部６２２ｘは、側面視その中間部分が前方または後方に膨出している。中間部分の膨出方向は、底部係合爪６１の先端部位の屈曲または湾曲する方向と相反する（即ち、弾性変形部６２２ｘの中間部分が前方に膨出する場合、底部係合爪６１の先端部位は後方に屈曲または湾曲する）。外力が加えられていない状態で、弾性変形部６２２ｘは、側部係合爪６２の前面または後面よりも前後方向に突出している。弾性変形部６２２ｘは弾性変形可能であって、前後方向の外力を受けたときには側部係合爪６２の前面または後面と略面一かそれよりも凹む位置まで退避する。因みに、弾性変形がより容易となるように、弾性変形部６２２ｘの厚みは側部係合爪６２の他の部位の厚みよりも薄く成形される。
【００３０】
この仕切板６の側部係合爪６２が抽斗５の側壁５２の係合孔５２１に挿入されると、弾性変形部６２２ｘは後方または前方に弾性変形して段部５２３における係合孔５２１の開口縁を回避する。しかる後、側部係合爪６２が、側壁５２の段部５２３より下方、立面部５２２より外側方に配置される。図７に示しているように、側部係合爪６２が側壁５２の係合孔５２１に挿入された状態で、弾性変形部６２２ｘは段部５２３の下向面において係合孔５２１の前端縁または後端縁と係合する。この弾性変形部６２２ｘにより、側部係合爪６２の上方への抜出が抑止される。即ち、弾性変形部６２２ｘが、第二の抜け止め要素として機能する。この弾性変形部６２２ｘも上下両端で仕切板６に連続しており、係合孔５２１への挿脱時に無理に引っ掛かってしまうようなことがない。
【００３１】
さらに、弾性変形部６２２ｘは、第一の抜け止め要素として機能させることができる。側部係合爪６２が側壁５２の係合孔５２１に挿入された状態で、弾性変形部６２２ｘの中間部分は立面部５２２における係合孔５２１の前端縁よりも前方に、または係合孔５２１の後端縁よりも後方に位置づけられることとなる。従って、この弾性変形部６２２ｘにより、側部係合爪６２の内側方への抜出が抑止される。弾性変形部６２２ｘが第一の抜け止め要素としても機能する場合、必ずしも側部係合爪６２に鉤部６３を形成する必要はなくなる。
【００３２】
本実施形態によれば、底壁５１及び底壁５１より立ち上がる側壁５２によって包囲される収納空間を仕切る仕切板６であって、前記側壁５２に予め形成された係合孔５２１に挿入される側部係合爪６２を具備し、前記側部係合爪６２に、対応する前記係合孔５２１から収納空間側（内側方）への抜出を抑止する第一の抜け止め要素６３、６２２ｘを形成してなる収納家具用仕切板６を構成したため、第一の抜け止め要素が仕切板６面に及ぼされる圧力に抗して仕切板６を支持する役割を担い、収納空間内に装着した仕切板６が不用意に外れてしまう不具合を解消できる。
【００３３】
加えて、前記底壁５１に予め形成された係合孔５１１に挿入される底部係合爪６１をも具備するため、圧力を受けた仕切板６の底辺が厚み方向に変位してしまうことを抑制できる。そして、側部係合爪６２の第一の抜け止め要素の働きと相まって、仕切板６がより撓みにくく外れにくいものとなる。
【００３４】
さらに、前記底部係合爪６１に、対応する前記係合孔５１１から収納空間側（上方）への抜出を抑止する抜け止め要素を形成しているため、仕切板６の側辺及び底辺がそれぞれ側壁５２、底壁５１に対して保定されることとなり、仕切板６面への圧力に充分に耐え得るものとなる。本実施形態では、前記底部係合爪６１の先端部位を屈曲または湾曲させて底部係合爪６１における抜け止め要素としており、容易に形成することが可能であるから徒に製造コストの高騰を招くことがない。
【００３５】
また、前記側壁５２が収納空間を閉止する立面部５２２とこの立面部５２２の端縁近傍で屈曲して外側方に延出する段部５２３とを具備しており、前記係合孔５２１がこれら立面部５２２と段部５２３とにまたがるように形成されて収納空間側（内側方）及び収納空間が開放される反底壁５１側（上方）に連続的に開口するものであって、前記側部係合爪６２に、対応する前記係合孔５２１から収納空間側への抜出を抑止する第一の抜け止め要素と、反底壁５１側への抜出を抑止する第二の抜け止め要素とを形成しているため、仕切板６を抽斗５に装着したまま袖机１、ワゴン、キャビネット等を運搬することが容易になる。本実施形態の仕切板６は、抽斗５を上下逆さにしたとしても不用意に脱落することはなく、よって袖机１等の可搬性の向上がもたらされる。
【００３６】
前記側部係合爪６２に前記底壁５１側に向けて突出する鉤部６３を形成して側部係合爪６２における第一の抜け止め要素としており、容易に形成することが可能であるから徒に製造コストの高騰を招くことがない。
【００３７】
図３ないし図５に示す例では、前記側部係合爪６２に外力が加えられていない状態で外側方に突出または膨出する弾性変形部６２２を設けて側部係合爪６２における第二の抜け止め要素としており、やはり容易に形成可能である。
【００３８】
図６ないし図８に示す例では、前記側部係合爪６２に外力が加えられていない状態で厚み方向（前後方向）に突出または膨出する弾性変形部６２２ｘを設けて第二の抜け止め要素としている。このようなものであっても、容易に形成可能であって製造コストの高騰にはつながらない。しかも、この場合の弾性変形部６２２ｘは、第一の抜け止め要素としての機能をも発揮し得る。つまり、弾性変形部６２２ｘは、側部係合爪６２が収納空間側に抜け出ることを抑止できるのみならず、側部係合爪６２が反底壁５１側に抜け出ることをも抑止できる。
【００３９】
前記側部係合爪６２の側縁近傍の所定領域に中空部６２１、６２１ｘを設けることでその外側方に生ずる変位自在の部位を利用して前記弾性変形部６２２、６２２ｘを構成しているため、その上下両端が仕切板６に連続しているものとなり、耐久性が担保される。
【００４０】
側部係合爪６２、底部係合爪６１の各々に形成した抜け止め要素により、仕切板６が厚み方向に撓んで側部係合爪６２または底部係合爪６１が不用意に係合孔５２１、５１１より抜け出てしまうことが回避される。従って、仕切板６に特段の剛性を持たせる必要がなくなり、弾性変形可能な材料を用いた板状体としてこれを製作することが可能となる。仕切板６を金属製とする場合であっても、リブその他の立体構造を形成して強固な剛性を確保することが不要となる。
【００４１】
当該収納家具用仕切板６は樹脂成形品であるため、側部係合爪６２、底部係合爪６１の形成を含めて簡易に製作することができる。そして、既存の金属製の仕切板６と比較して製造コストを低減することが可能である。
【００４２】
しかして、本実施形態の収納家具用仕切板６を抽斗５に付帯させておくことで、利便性の高い袖机１、ワゴン、キャビネット等を需要者に提供し得る。
【００４３】
なお、本発明は以上に詳述した実施形態に限られるものではない。各部の具体的構成は上記実施形態に限られるものではなく、本発明の趣旨を逸脱しない範囲で種々変形が可能である。
【図面の簡単な説明】
【００４４】
【図１】本発明の一実施形態における袖机を示す斜視図。
【図２】同実施形態における抽斗及び仕切板を示す分解斜視図。
【図３】同実施形態における仕切板を示す斜視図。
【図４】同実施形態における抽斗及び仕切板を示す要部側断面図。
【図５】同要部正断面図。
【図６】同実施形態における仕切板を示す斜視図。
【図７】同実施形態における抽斗及び仕切板を示す要部側面図。
【図８】同要部正断面図。
【符号の説明】
【００４５】
１…収納家具（袖机）
５…収納家具本体（抽斗）
５１…底壁
５１１…係合孔
５２…側壁
５２１…係合孔
５２２…立面部
５２３…段部
６…収納家具用仕切板
６１…底部係合爪
６２…側部係合爪
６２１、６２１ｘ…中空部
６２２、６２２ｘ…弾性変形部
６３…鉤部
【図１】
2006061200.tif 000003
【図２】
2006061200.tif 000004
【図３】
2006061200.tif 000005
【図４】
2006061200.tif 000006
【図５】
2006061200.tif 000007
【図６】
2006061200.tif 000008
【図７】
2006061200.tif 000009
【図８】
2006061200.tif 000010